(57)【特許請求の範囲】
【請求項１】
河川側の表面となるように積み上げた複数の自然石と、前記自然石の裏側に詰め材を敷き詰めた裏込め材層と、前記裏込め材層の裏側に形成したコンクリート壁と、を備えた土木構築物であって、
前記各自然石は、当該自然石の裏面に棒状部材の一端側を固定し、前記棒状部材の他端側を前記コンクリート壁内に埋設して固定することで、前記コンクリート壁に連結固定するとともに、
前記棒状部材は、略Ｕ字形状をなし、この略Ｕ字形状のＵ字部分を他端側として前記コンクリート壁内に埋設し、略Ｕ字形状の２つの一端側をそれぞれ別の自然石の裏面に固定したことを特徴とする土木構築物。
【請求項２】
前記棒状部材は、その一端側を前記自然石の裏面に穿孔した穴部に挿入して接着固定したことを特徴とする請求項１に記載の土木構築物。
【請求項３】
請求項１又は２に記載の土木構築物において、
前記裏込め材層および前記コンクリート壁の上面に境界層を形成し、前記自然石と前記境界層の上に、積み上げた複数の第二自然石と、前記第二自然石の裏側に形成した第二コンクリート壁とを、備えていることを特徴とする土木構築物。
【請求項４】
前記複数の第二自然石は、前記自然石より後側方向へ後退させた位置にて積み上げられていることを特徴とする請求項３に記載の土木構築物。
【請求項５】
前記複数の自然石と前記裏込め材層に、前記複数の自然石の間に河川の水中に臨む開口を備えた透水性管路を埋設し、
前記透水性管路は、その外部の水が管路壁から内部へ通過する管路であることを特徴とする請求項１〜４のいずれかに記載の土木構築物。
【請求項６】
前記透水性管路は、当該透水性管路の開口が河川の水中に臨むようにして前記複数の自然石の間に適宜間隔で配置する出入口用透水性管路と、前記裏込め材層内に河川の上下流方向に並行して配置する上下流方向透水性管路と、この上下流方向透水性管路と前記出入口用透水性管路とを連結する管路継ぎ手と、を備えたことを特徴とする請求項５に記載の土木構築物。
【発明の詳細な説明】
【技術分野】
【０００１】
本発明は、植物や生物の生育並びに生息に好ましい環境を提供するとともに、災害時の濁流に強い護岸に適した土木構築物及び土木構築物の施工方法を提供する技術に関する。
【背景技術】
【０００２】
土木構築物としては、特許文献１に示すように、護岸の傾斜した施工面上に、砕石等を充填して、これらの砕石等を互いに係合させた裏込め材層を形成する。そして、前記裏込め材層の上に詰め石等を互いに係合させた詰め材層を形成し、前記詰め材層の表面を覆うように複数の自然石を積み上げている。前記各自然石は、その裏面に固定した棒状部材のアンカーを裏側へ向けて延伸させ、前記アンカーの後端部に形成した板状部材を裏込め材層の内部に埋設している。前記板状部材は裏込め材層の内部で摩擦力を増大させる摩擦力増大手段として機能する。
【０００３】
また、特許文献２に記載の土木構築物では、表面層を形成する各前側自然石に対して後側自然石を、アンカーを介してそれぞれ連結している。前記各前側自然石とアンカーで連結した各後側自然石は、護岸の傾斜した施工面上を覆うように積み上げられる。さらに、前記各前側自然石とアンカーを介した各後側自然石との間にコンクリートを流し込んでコンクリート層を形成して一体化されている。
【先行技術文献】
【特許文献】
【０００４】
【特許文献１】特許第２９８３２０７号公報
【特許文献２】特開２０１０−１４４４２５号公報
【発明の概要】
【発明が解決しようとする課題】
【０００５】
特許文献１記載の発明は、確かに表面材に自然石を用いることで、周囲の環境に調和する。また、自然石や詰め材層は、通水性を有しているので水中の生物には生育環境として良いものである。しかし、近年は異常気象などの理由から雨量が多いために河川が氾濫する頻度が多くなってきたが、特許文献１の構造では災害時の濁流には弱いものである。つまり、濁流の際には自然石だけでなく詰め材層及び裏込め材層まで破壊されて流されてしまう。
【０００６】
特許文献２記載の発明では、各前側自然石と各後側自然石の間にコンクリート層を形成して一体化しているので、特許文献１に比べて災害時の濁流には強いものである。しかし、この土木構築物は、全体的にコンクリート層であるために通水性がないので、水中の生物が生育できない環境である。たとえ隣り合う自然石の間の隙間を生物の生育環境に良い状態にするとしても限界がある。
【０００７】
本発明はこのような事情に鑑みてなされたものであって、植物や生物の生育並びに生息に好ましい環境を提供するとともに、災害時の濁流に強い護岸を構築する土木構築物及び土木構築物の施工方法を提供することを目的とする。
【課題を解決するための手段】
【０００８】
請求項１記載の発明は、河川側の表面となるように積み上げた複数の自然石（１２）と、前記自然石（１２）の裏側に詰め材（１３ａ）を敷き詰めた裏込め材層（１３）と、前記裏込め材層（１３）の裏側に形成したコンクリート壁（１４）と、を備えた土木構築物であって、前記各自然石（１２）は、当該自然石（１２）の裏面に棒状部材（１７ａ，１７ｂ）の一端側を固定し、前記棒状部材（１７ａ，１７ｂ）の他端側を前記コンクリート壁（１４）内に埋設して固定することで、前記コンクリート壁（１４）に連結固定するとともに、前記棒状部材（１７ａ，１７ｂ）は、略Ｕ字形状をなし、この略Ｕ字形状のＵ字部分を他端側として前記コンクリート壁（１４）内に埋設し、略Ｕ字形状の２つの一端側をそれぞれ別の自然石（１２）の裏面に固定したことを特徴としている。
【０００９】
請求項２記載の発明は、上記１項において、前記棒状部材（１７ａ，１７ｂ）は、その一端側を前記自然石（１２）の裏面に穿孔した穴部（１２ａ）に挿入して接着固定したことを特徴としている。
【００１０】
請求項３記載の発明は、上記１項又は２項に記載の土木構築物において、
前記裏込め材層（１３）および前記コンクリート壁（１４）の上面に境界層（３３）を形成し、前記自然石（１２）と前記境界層（３３）の上に、積み上げた複数の第二自然石（３６）と、前記第二自然石（３６）の裏側に形成した第二コンクリート壁（３７）とを、備えていることを特徴としている。
【００１１】
請求項４記載の発明は、上記３項において、前記複数の第二自然石（４３）は、前記自然石（１２）より後側方向へ後退させた位置にて積み上げられていることを特徴としている。
【００１２】
請求項５記載の発明は、上記１〜４項のうち、何れか１項において、前記複数の自然石（１２）と前記裏込め材層（１３）に、前記複数の自然石（１２）の間に河川の水中に臨む開口を備えた透水性管路（２１）を埋設し、前記透水性管路（２１）は、その外部の水が管路壁から内部へ通過する管路であることを特徴としている。
【００１３】
請求項６記載の発明は、上記５項において、前記透水性管路（２１）は、当該透水性管路（２１）の開口が河川の水中に臨むようにして前記複数の自然石（１２）の間に適宜間隔で配置する出入口用透水性管路（２１ａ）と、前記裏込め材層（１３）内に河川の上下流方向に並行して配置する上下流方向透水性管路（２１ｂ）と、この上下流方向透水性管路（２１ｂ）と前記出入口用透水性管路（２１ａ）とを連結する管路継ぎ手（２１Ｃ）と、を備えたことを特徴としている。
【発明の効果】
【００１７】
本発明によれば、積み上げた複数の自然石および裏込め材層は、良好な通気性及び通水性を有するので、複数の自然石間の隙間や裏込め材層の詰め材間の隙間に水中生物が生育する環境として良好である。
一方、積み上げた複数の各自然石は、棒状部材を介してコンクリート壁に連結固定されているので、集中豪雨などにより河川が増水して氾濫し、濁流にあっても、破壊されたり流されたりしない強度を確保することができる。
【００１８】
さらに、略Ｕ字形状をなす棒状部材は、そのＵ字部分がコンクリート壁内に埋設されることから、引張、剪断等に対する強度が向上しており、河川の流れに曝される自然石の耐力が大幅に向上する。
また、略Ｕ字形状の２つの一端側を、それぞれ別の自然石の裏面に固定していることから、石同士が連結される形となって、自然石を強固に固定することができる。
【００１９】
加えて、本実施形態では、現場にて一段ずつ自然石を積み上げてから、それらの自然石の裏面に穴部を穿孔し、この穴部に棒状部材一端側を挿入した後、瞬間接着剤などにて接着固定、或いはアンカーを打ち込んで棒状部材を固定する。
即ち、自然石が最も安定が良くなるよう、現場にて石の形状に合わせて石積みを行うことが可能であり、結果的に施工性に優れるという利点がある。
【００２０】
また、前記裏込め材層および前記コンクリート壁の上面に境界層を形成し、前記自然石と前記境界層の上に、積み上げた複数の第二自然石と、前記第二自然石の裏側に形成した第二コンクリート壁とを、備えた構造では、集中豪雨などにより河川が増水して氾濫した場合に水位が達するが、積み上げた複数の第二自然石は、第二コンクリート壁にしっかりと固定されているので、濁流に対する強度はさらに増大する。
【００２１】
複数の第二自然石を、前記自然石より後側方向へ後退させた位置に積み上げた構造では、複数の第二自然石が積み上げやすくなるので施工効率が向上する。さらに、河川幅が広くなるので、特に増水した時の濁流の緩和に貢献することが考えられる。
【００２２】
また、前記複数の自然石の間に河川の水中に臨む開口を備えた透水性管路が、裏込め材層に埋設されることで、ウナギなどの大きな水中生物でも通水性が良好な透水性管路内に生育可能となり、生物の生育にさらに優れた環境を形成することができる。
【００２３】
さらに、本発明の土木構築物の施工方法では、複数の自然石を積み上げる場合、まだ自然石の裏面に棒状部材を取り付けていないので、自然石の形状に合わせて石積み作業を行うことが可能である。その結果、施工効率が良好となる。
比較するために、前述の特許文献１のような従来の施工方法では、例えば遠く離れた工場にて予め自然石の裏面に棒状部材を固定してから施工現場に搬送してくるので、それほど多くの自然石を搬送することができない。また、従来の施工方法は既に自然石の表面が決まっているので、積み上げるときの積み上げ面の位置調整が難しくなるために施工効率が低下する。
なお、仮の裏込め材層形成工程は、複数の自然石を積み上げながら詰め材を仮に敷き詰めることで、自然石の設置状態を安定させる効果がある。
【図面の簡単な説明】
【００２４】
【図１Ａ】本発明の第一の実施形態に係る土木構築物を概略的に示す縦断面図である。
【図１Ｂ】本発明の第一の実施形態に係る土木構築物の変形例を概略的に示す縦断面図である。
【図１Ｃ】同じく、本発明の第一の実施形態に係る土木構築物の変形例を概略的に示す平面断面図である。
【図１Ｄ】同じく、本発明の第一の実施形態に係る土木構築物の変形例を概略的に示す平面断面図である。
【図２】（ａ）は、自然石の裏面に棒状部材を固定する形態を示す断面図で、（ｂ）〜（ｅ）は、自然石の裏面に固定した棒状部材の様々な形態を示す斜視図である。
【図３】第一の実施形態の土木構築物における透水性管路の配管状態を示す斜視図である。
【図４】第一の実施形態の土木構築物において透水性管路を配管したときの断面図である
【図５】河川側から土木構築物を視た状態を概略的に示す正面図である。
【図６】（ａ），（ｂ）は、第一の実施形態に係る土木構築物の施工方法を示す断面図である。
【図７】（ａ），（ｂ）は、図６から続くもので、土木構築物の施工方法を示す断面図である。
【図８】（ａ），（ｂ）は、図７から続くもので、土木構築物の施工方法を示す断面図である。
【図９】本発明の第二の実施形態に係る土木構築物を概略的に示す断面図である。
【図１０】境界層内のメッシュの施工状態を示す斜視図である。
【図１１】本発明の第三の実施形態に係る土木構築物を概略的に示す断面図である。
【発明を実施するための形態】
【００２５】
以下、本発明の第一の実施形態に係る土木構築物について図面を参照して説明する。
第一の実施形態の土木構築物１０としての護岸は、図１Ａに示すように、基本的に、傾斜した切土面２の下側に設置面１が設けられる。前記設置面１の上方側には、切土面２に対して河川側へ形成したコンクリート壁１４と、前記コンクリート壁１４に対して河川側の位置で形成した裏込め材層１３と、前記裏込め材層１３に対して河川側の位置で積み上げた複数の自然石１２，１２，・・・と、を備えている。
【００２６】
加えて、前記設置面１の上には、コンクリートのベース１１を形成している。このベース１１の上面は、切土面２から河川側に向けて徐々に高くなる傾斜面とすることが望ましい。前述のコンクリート壁１４、裏込め材層１３、複数の自然石１２，１２，・・・は、コンクリートのベース１１の上面に形成されている。なお、前記ベース１１は河川の護岸の施工区間に形成される。また、施工区間の両側には、図５に示すように、コンクリートの小口止め１５が形成される。
【００２７】
コンクリート壁１４は、本実施形態では、図１Ａにおいて例えば河川側に向けて３００ｍｍ程の厚さを有する。また、コンクリート壁１４には、図１Ａ及び図４に示すように、直径５０〜７５ｍｍ程の水抜きパイプ１６が適宜間隔で切土面２側から河川側へ貫通している。
【００２８】
裏込め材層１３は、例えば河川側に向けて２００ｍｍ程の厚さを有しており、径８０〜３００ｍｍ程の割石や割栗などの詰め材１３ａを互いに係合させた状態で敷き詰めて充填している。なお、詰め材１３ａの大きさは、施工現場の状況に合わせて決定される。したがって、裏込め材層１３は、良好な通気性及び通水性を有するので、水中生物にとっての生育環境を良好に維持することができる。
【００２９】
複数の自然石１２，１２，・・・は、本実施形態では、例えば河川側に向けて３００ｍｍ程の厚さを有しており、径３５０ｍｍ内外の大きさの自然石１２，１２，・・・を上方側へ積み重ねた状態で形成している。自然石１２に用いる石は、割石あるいは玉石が好適である。
なお、自然石１２の大きさは上記の大きさに限定されず、例えば、径５００〜６００ｍｍ程度の巨石であってもよい。
この場合、前述の裏込め材層１３は、径８０〜３００ｍｍ程の割石や割栗などの詰め材１３ａを互いに係合させた状態で敷き詰めて充填することができる。これによって、巨石である自然石１２同士に生じる空隙、並びに、詰め材１３ａ同士における空隙を大きく確保することが可能となり、通気性及び通水性が一層良好となり、より大きな水中生物に対する生育環境の向上に貢献する。
【００３０】
また、自然石１２として巨石を利用する場合、図１Ｂに示されるように、巨石１９を河川の通常水位まで積み重ねるようにし、通常水位よりも上方の部分は径３５０ｍｍ内外の小さめの自然石１２を用いることも可能である。つまり、裏込め材層１３を形成する自然石１２，１２，・・・は、一定の大きさにするのではなく、通常水位までを径５００〜６００ｍｍ程度の巨石とする一方、通常水位よりも上方の部分を径３５０ｍｍ内外の自然石を用いてもよい。
【００３１】
さらに、複数の各自然石１２，１２，・・・は、例えば図２（ａ），（ｂ）に示すように、自然石１２の裏面のほぼ中央に穴部１２ａを穿孔し、この穴部１２ａに棒状部材１７としての鋼線の一端側を挿入して例えば瞬間接着剤にて固定する。なお、穴部１２ａは、棒状部材１７を挿入できる寸法であり、自然石１２の表面に貫通しない。一方、前記棒状部材１７の他端側は、前記自然石１２の裏側に対向する位置でコンクリート壁１４に固定する。例えば、前記棒状部材１７の他端側は、予めコンクリート壁１４を施工する位置に伸ばしておき、その後、生コンを流し込むことで、棒状部材１７の他端側がコンクリート壁１４内に埋め込まれるように固定することができる。
【００３２】
なお、自然石１２と棒状部材１７との固定は上記の方法に限定されず、例えばアンカーを石に打ち込む方法など、他の固定方法でもよい。これによれば、現場の状況などに合わせ、自然石１２に対する棒状部材１７の固定位置を適宜選択することが可能となる。例えば、穴部１２ａは石の中央付近の他、上方寄りに穿設する、或いは下方寄りに穿設するというように、石をより強固に固定できる位置を選択することもできる。
【００３３】
本実施形態における土木構築物を施工する場合、基本的には、自然石１２に固定した棒状部材１７の他端側は、コンクリート壁１４を形成する過程で埋め込んでゆくことが望ましい。しかし、既にコンクリート壁が形成されている場合であっても、前述のように本実施形態の土木構築物１０を設けることができる。
また、コンクリート壁１４と棒状部材１７との固定も、同様に上記の方法に限定されず他の方法でもよい。例えば、施工済みのコンクリート壁１４に、ハンマードリルによって穴部を穿孔し、穴部をブロワーによって清掃した後、この穴部へ前記棒状部材１７の他端側を挿入し、例えば瞬間接着剤にて固定することができる。この接着固定は、施工が簡単であるので施工効率が向上する。しかし、強い強度を有する接着剤を選ぶことが必要である。
【００３４】
また、本実施形態では、棒状部材１７は、直径８ｍｍで、５５０〜６００ｍｍの鋼線を使用しているが、材質、大きさ、形状などは特に限定されない。
さらに、棒状部材１７としては鋼線に限定されず、例えばステンレス鋼など、所定の強度を有する他の材料でもよく、形状についても中実或いは中空、角形など、その他の形状でもよい。
【００３５】
さらに棒状部材１７の後端側は、図２（ｂ）に示すように、単に直線状に伸びていてもよく、あるいは、コンクリート壁１４から簡単に抜けないようにするために、図２（ｃ）に示すようにＬ字形状に、あるいは図２（ｄ）に示すようにカール状に折り曲げた抜け止めを施すこともできる。
【００３６】
また、棒状部材１７は、図２（ｅ）に示すように、平面視で略Ｕ字形状に折り曲げたＵ字状棒状部材１７ａとすることも可能である。この場合は、図１Ｃに示されるように、Ｕ字形状の２つの一端側を、それぞれ別の２つの自然石１２，１２に形成した穴部１２ａ，１２ａに挿入して固定用接着剤により、それぞれ固定する。つまり、一つのＵ字状棒状部材１７ａが、２つの自然石１２，１２に対し、跨って連結している状態となり、棒状部材１７ａのＵ字部分がコンクリート壁１４の内部に埋まるように施工される。
【００３７】
その結果、Ｕ字状棒状部材１７ａの引張力や剪断力等に対する強度が向上し、コンクリート壁１４から簡単には抜けないという極めて強い構造となり、又、自然石１２同士の連結による強度の向上を同時に達成することができる。
さらに、施工現場となる護岸工事の現場にて、Ｕ字状棒状部材１７ａを自然石１２に対して固定するようにしているため、予め棒状部材が固定されている石を施工現場へ輸送する場合と比較すると、自然石や棒状部材と云った資材を単独で運ぶ形になることから、運搬作業の煩雑さを軽減することができる。
【００３８】
加えて、図１Ｃ及び図２（ｅ）の構造を更に発展させた形態として図１Ｄ及び図２（ｆ）に示される変形例がある。これらの図に示される変形例では自然石１２に対し、２本の棒状部材１７ａ，１７ｂ、又は２本のＵ字状棒状部材１７ａの一端側を固定し、他端側をコンクリート壁１４の内部に埋設するようにしている。
【００３９】
これによれば、並列配置される左右の自然石１２同士を、棒状部材によって連結し、且つ２本の棒状部材によってコンクリート壁１４の内部に緊結する形となることから、より強固に護岸を構築することが可能となり、河川の増水や濁流に対する耐久力を更に向上させることができる。
なお、最も側端に位置する自然石１２は、その構造上、直線状の棒状部材１７と、Ｕ字状棒状部材１７ｂとを接続している。
【００４０】
また、最上段の自然石１２と裏込め材層１３の上面は、図１Ａに示されるように、例えば天端コンクリート１８Ｂで覆うようにしても良いし、天端コンクリート１８Ｂを打設する際に、内部にメッシュ３４並びにコンクリートスペーサ３５を敷きつめてからコンクリートを打設するようにしても良い。ここで、メッシュ３４及びコンクリートスペーサ３５については、さらに後述する。
【００４１】
以上のことから、第一の実施形態に係る土木構築物１０は、積み上げた複数の自然石１２，１２，・・・および裏込め材層１３は、良好な通気性及び通水性を有するので、自然石１２，１２，・・・間の隙間や裏込め材層１３の詰め材１３ａ，１３ａ，・・・間の隙間に水中生物が生育する環境として良好である。
一方、積み上げた複数の各自然石１２，１２，・・・は、棒状部材１７，１７，・・・を介してコンクリート壁１４に連結固定されているので、集中豪雨などにより河川が増水して氾濫し、濁流にあっても、破壊されたり流されたりしない強度を確保して構築することができる。
【００４２】
次に、上記の第一の実施形態の土木構築物１０において、より大きな水中生物が生育できるようにするために、下記の水中生物育成用構造物２０を追加施工することについて説明する。
水中生物育成用構造物２０は、基本的に、該当する河川が年間を通して渇水時の水位より下側となる位置に形成される。水中生物育成用構造物２０は、図３ないしは図５に示すように透水性管路２１で構成されている。
なお、図５では、すべての自然石１２，１２，・・・を図示せずに省略しているが、実際には施工区間全体にわたって自然石１２，１２，・・・が積み上げられている。
【００４３】
透水性管路２１としては、例えば断面が円形あるいは他の形状の筒状管路であって、外部の水が管路壁から内部へ通過する管路である。本実施形態の透水性管路２１としては、“集水ポラコン”〔商品名〕を使用することができる。この“集水ポラコン”は骨材粒度を限定して特殊なセメントベース１１によって結合し、連続性空隙を形成したフィルター材を筒壁としたコンクリート管路である。この“集水ポラコン”は通水性（あるいは透水性）の効率が良好で、目詰まりをしない点で優れている。しかし、透水性管路２１としては、“集水ポラコン”に限定されず、筒壁に多くの貫通孔を形成した筒状管路であっても、他の形態であってもよい。また、透水性管路２１はコンクリート製に限定されず、塩ビ管などの樹脂製あるいは他の材質でもよい。
【００４４】
水中生物育成用構造物２０は、本実施形態では、直径２００ｍｍ〜３００ｍｍの透水性管路２１である“集水ポラコン”を継ぎ合わせて形成している。例えば、透水性管路２１の開口が河川の水中に臨むようにして複数の自然石１２，１２，・・・の間に適宜間隔で配置する出入口用透水性管路２１ａと、裏込め材層１３内に河川の上下流方向に並行して配置する上下流方向透水性管路２１ｂと、この上下流方向透水性管路２１ｂと前記出入口用透水性管路２１ａとを連結する直方体形状の管路継ぎ手２１ｃを備えている。
【００４５】
なお、透水性管路２１は、複数の自然石１２，１２，・・・の間に配置されたり、裏込め材層１３内に配置されたりするので、透水性管路２１は上記の外圧に対し耐久性のある強度とするために、透水性管路２１の管路壁の厚さを大きくすることで、対応することができる。
【００４６】
このように、設置された透水性管路２１は、護岸内での通水性（あるいは透水性）が良好な状態となることから、本実施形態の水中生物育成用構造物２０は、小魚をはじめ、ウナギなどの大きな水中生物の生育に適した環境を河川内にもたらすことが可能となる。
【００４７】
次に、第一の実施形態の土木構築物１０の施工方法について説明する。
土木構築物１０の施工方法としては、一つの例として、図６（ａ）に示すように、傾斜した切土面２の下側に設けた設置面１の上に、コンクリートのベース１１を河川の護岸の施工区間に形成する。
【００４８】
次に、複数の自然石１２，１２，・・・をベース１１上に横並びに積み上げる。この場合、各自然石１２，１２，・・・を積み上げる際に、自然石１２のどの面を用いても石積みできるので、施工効率が良好である。この工程を「自然石積み上げ工程」という。
【００４９】
複数の自然石１２，１２，・・・が施工区間あるいは適宜の短い区間に積み上げられる際に、裏込め材層１３は、図６（ａ）に示すように複数の自然石１２，１２，・・・とコンクリート壁１４の仮想境界面１４ａとの間に、径８０〜３００ｍｍ程の割石や割栗などの詰め材１３ａを互いに係合させた状態で、自然石１２の高さの半分より低い位置まで敷き詰めて（充填して）形成する。この工程を「仮の裏込め材層形成工程」という。この工程は必ずしも行わなくてもよいが、複数の自然石１２，１２，・・・を積み上げながら詰め材１３ａを仮に敷き詰めることで、自然石１２の設置状態を安定させる効果がある。
【００５０】
次に、図６（ｂ）に示すように、各自然石１２の裏面のほぼ中央位置に、例えばドリルで穴部１２ａを開ける。穴部１２ａは、棒状部材１７を挿入できる寸法であり、自然石１２の表面に貫通しない。
【００５１】
次いで、例えば瞬間接着剤などの固定用接着剤を前記穴部１２ａに注入した後に、棒状部材１７の一端側を挿入する。棒状部材１７は一例として直径８ｍｍ、５５０〜６００ｍｍの鋼線であり、棒状部材１７の他端側が後工程で形成するコンクリート壁１４の仮想境界面１４ａより裏側方向へ長く配置している。
なお、棒状部材１７は、材質、大きさ、形状などは特に限定されず、前述の説明通り、図２（ｂ）〜（ｅ）に示すように種々の形態とすることができる。この工程を「棒状部材形成工程」という。
【００５２】
次に、裏込め材層１３は、図７（ａ）に示すように、径８０〜３００ｍｍ程の割石や割栗などの詰め材１３ａを互いに係合させた状態で、自然石１２の上部位置まで敷き詰めて充填して形成する。裏込め材層１３の切土面２側は、コンクリート壁１４の仮想境界面１４ａの位置で積み上げた状態となる。この工程を「裏込め材層形成工程」という。
【００５３】
次に、コンクリート壁１４は、図７（ｂ）に示すように生コンが前記裏込め材層１３と切土面２との間に自然石１２の頭部の位置まで流し込まれることで形成される。
したがって、複数の自然石１２，１２，・・・は、棒状部材１７を介してコンクリート壁１４にしっかりと連結固定される。この工程を「コンクリート壁形成工程」という。
【００５４】
次に、２段目の複数の自然石１２，１２，・・・が積み上げられる。２段目以降は上記の１段目の複数の自然石１２，１２，・・・の積み上げる工程とほぼ同じ工程を繰り返す。
【００５５】
例えば、２段目の「自然石積み上げ工程」では、図８（ａ）に示すように、１段目の自然石１２の上に、２段目の自然石１２を前述の１段目の自然石１２の上に積み上げる。
なお、１段目の自然石１２は、ベース１１上の比較的平坦な面に積み上げるので積み上げやすいものであった。これに比べて２段目の自然石１２は、１段目の自然石１２の上に積み上げるために平坦な面ではないので、積み上げる自然石１２の面の位置を調整する必要がある。
しかし、本実施形態の施工方法は、従来とは異なり、自然石１２のどの面を用いても石積みができるので、２段目以降の自然石１２の積み上げであっても施工効率が良好である。つまり、本実施形態の施工方法では自然石１２の面を、既に積まれている自然石１２の状況に合わせて、最も安定が良くなるよう適宜選択して石積みを行うことができる。
【００５６】
比較するために、前述の特許文献１に示すような従来の施工方法では、例えば遠く離れた工場などにて、予め自然石１２の裏面に棒状部材１７を固定してから施工現場に搬送するため、それほど多くの自然石１２を一度に搬送することができない。また、すでに自然石１２の表面側（水に面する面）が決められてしまっているので、石を積み上げる際に、積み上げ面の位置調整が難しくなるために施工効率が低下する。
【００５７】
２段目の「仮の裏込め材層形成工程」では、２段目の複数の自然石１２，１２，・・・が施工区間あるいは適宜の短い区間に積み上げられる際に、裏込め材層１３は、図８（ａ）に示すように２段目の複数の自然石１２，１２，・・・とコンクリート壁１４の仮想境界面１４ａとの間に、径８０〜３００ｍｍ程の割石や割栗などの詰め材１３ａを互いに係合させた状態で、２段目の自然石１２の高さの半分より低い位置まで敷き詰めて形成する。
【００５８】
次に、２段目の「棒状部材形成工程」では、図８（ａ）に示すように、２段目の各自然石１２の裏面のほぼ中央位置に、例えばドリルで穴部１２ａを開け、例えば瞬間接着剤などの固定用接着剤を前記穴部１２ａに注入した後に、棒状部材１７の一端側を挿入して固定する。棒状部材１７の他端側は、後工程で形成するコンクリート壁１４の仮想境界面１４ａより裏側方向へ長くなるように設置される。
【００５９】
次に、２段目の「裏込め材層形成工程」では、裏込め材層１３は、図８（ｂ）に示すように、径８０〜３００ｍｍ程の割石や割栗などの詰め材１３ａを互いに係合させた状態で、２段目の自然石１２の頭部の位置まで敷き詰めて充填して形成する。裏込め材層１３の切土面２側は、コンクリート壁１４の仮想境界面１４ａの位置で積み上げた状態となる。
【００６０】
次に、２段目の「コンクリート壁形成工程」では、コンクリート壁１４は、図８（ｂ）に示すように生コンが、前記裏込め材層１３と切土面２との間に２段目の自然石１２の頭部の位置まで流し込まれる。２段目の複数の自然石１２，１２，・・・も、棒状部材１７を介してコンクリート壁１４にしっかりと連結固定される。
３段目以降も、同じ工程を繰り返す。
【００６１】
最上段の自然石１２の積み上げでは、図１Ａに示すように、最上段の裏込め材層１３の上部を、例えば８０ｍｍ程の割石や割栗（「ＲＣ８０」という）などの詰め材１３ａを互いに係合させ、さらに、目つぶし層１８Ａを設けるために４０ｍｍ程の割石や割栗（「ＲＣ４０」という）を投入して転圧する。
その後、転圧された目つぶし層１８Ａの上部に、メッシュ３４とスペーサ３５を敷きつめてから、天端コンクリート１８Ｂを打設する。
【００６２】
なお、水中生物育成用構造物２０は、上述のように第一の実施形態の土木構築物１０の施工の過程で、透水性管路２１を配管して形成する。
【００６３】
次に、本発明の第二の実施形態に係る土木構築物について図面を参照して説明する。
第二の実施形態の土木構築物３０は、前述の第一の実施形態の土木構築物１０と同様に、図９に示すように、傾斜した切土面２の下側に設けた設置面１の上に、コンクリートのベース１１を形成している。第一の実施形態と異なる点は、前記ベース１１の上面に、高さ方向で下方側土木構築物３１と上方側土木構築物３２の構造となっていることである。
【００６４】
下方側土木構築物３１は、一年間を通じて河川の通常の水位を超える高さまで構築されている。ただし、氾濫して増水した場合を除く。この下方側土木構築物３１は、前述の第一の実施形態の土木構築物１０と同様の構造で形成されているので、詳しい説明は省略する。
【００６５】
すなわち、下方側土木構築物３１は、ベース１１の上面に、切土面２から河川側に向けて順にコンクリート壁１４と、裏込め材層１３と、積み上げた自然石１２，１２，・・・と、を備えている。複数の各自然石１２，１２，・・・は、棒状部材１７，１７，・・・を介してコンクリート壁１４に連結固定されている。
したがって、積み上げた複数の自然石１２，１２，・・・および裏込め材層１３は、良好な通気性及び通水性を有するので、自然石１２間の隙間や裏込め材層１３の詰め材１３ａ間の隙間に水中生物が生育する環境として良好である。
【００６６】
また、下方側土木構築物３１は、前述の第一の実施形態の土木構築物１０における水中生物育成用構造物２０を追加施工することもできる。ここで、水中生物育成用構造物２０については前述の第一の実施形態と同様であるので、その詳しい説明を省略する。
【００６７】
下方側土木構築物３１における裏込め材層１３の上部には８０ｍｍ程の割石や割栗（ＲＣ８０）などの詰め材１３ａが敷き均らされ、さらに目つぶしのために４０ｍｍ程の砕石（ＲＣ４０）が投入され、且つ転圧が施された状態となっている。
転圧された部分には、複数のコンクリートスペーサ３５が、適宜の間隔で設置されているとともに、これらのコンクリートスペーサ３５上にメッシュ３４が敷きつめられている。これによって、メッシュ３４は下方側土木構築物３１の上部に沿いながら、河川の上下流方向に並行配置された状態となる。メッシュ３４、コンクリートスペーサ３５を含む裏込め材層１３の上面には、生コンクリートが打設されて境界層３３が形成され、当該部分の強度向上が図られている。
【００６８】
メッシュ３４は、図１０に示されるように、鋼線によって１００ｍｍ×１００ｍｍの格子形状に形成されているとともに、その下部に載置されるコンクリートスペーサ３５は５０ｍｍ×５０ｍｍ角の立方体形状に形成されたものが一例としてあげられる。勿論、メッシュ３４やコンクリートスペーサ３５の形状、寸法、材料等の形態は特に限定されない。
【００６９】
上方側土木構築物３２は、境界層３３の上面に形成されている。すなわち、上方側土木構築物３２は、境界層３３の上面に、切土面２から河川側に向けて順に第二裏込め材層３８と、第二コンクリート壁３７とを備えている。さらに、第二コンクリート壁３７から河川側には前記下方側土木構築物３１の自然石１２，１２，・・・の上に積み上げた複数の第二自然石３６，３６，・・・を備えている。
【００７０】
第二裏込め材層３８は、例えば切土面２から河川側に向けて３００ｍｍ程の厚さを有しており、径４０ｍｍ程の砂利（ＲＣ４０）を敷き詰めて充填している。第二コンクリート壁３７は、例えば第二裏込め材層３８から河川側に向けて２００ｍｍ程の厚さを有する。
【００７１】
複数の第二自然石３６，３６，・・・は、下方側土木構築物３１の自然石１２と同じように、例えば第二コンクリート壁３７から河川側に向けて３００ｍｍ程の厚さを有しており、これによって上方側土木構築物３２は、径３５０ｍｍ程の大きさの自然石３６，３６，・・・を上方側へ積み重ねた状態で形成されることとなる。この場合は、複数の第二自然石３６，３６，・・・は第二コンクリート壁３７にてしっかり固定されるので、前述の棒状部材１７は必要としない。
【００７２】
最上段の第二自然石３６，３６，・・・と第二コンクリート壁３７と第二裏込め材層３８の上面は、例えば天端コンクリート３９で覆われている。
【００７３】
以上のことから、第二の実施形態に係る土木構築物３０では、下方側土木構築物３１は、第一の実施形態と同様に、積み上げた複数の自然石１２，１２，・・・および裏込め材層１３は、良好な通気性及び通水性を有するので、自然石１２，１２，・・・間の隙間や裏込め材層１３の詰め材１３ａ，１３ａ，・・・間の隙間に水中生物が生育する環境として良好である。
一方、積み上げた複数の各自然石１２，１２，・・・は、棒状部材１７，１７，・・・を介してコンクリート壁１４に連結固定されているので、集中豪雨などにより河川が増水して氾濫し、濁流にあっても、破壊されたり流されたりしない強度・耐久力を備えている。
【００７４】
また、上方側土木構築物３２は、集中豪雨などにより河川が増水して氾濫した場合に水位が達するが、積み上げた複数の第二自然石３６，３６，・・・は、第二コンクリート壁３７にしっかり固定されているので、濁流に対する強度は下方側土木構築物３１よりさらに増大している。
【００７５】
次に、第二の実施形態の土木構築物３０の施工方法について説明する。
下側土木構築物３１の施工方法としては、一つの例として、前述の第一の実施形態の土木構築物１０の施工方法と同様であるので、詳しい説明は省略する。
【００７６】
上側土木構築物３２の施工方法としては、下側土木構築物３１の最上段の自然石１２，１２，・・・の上に第二自然石３６，３６，・・・を積み上げる。
次に、境界層３３の上面において、第二コンクリート壁３７と第二裏込め材層３８との間に、第二自然石３６の高さの型枠を設置する。前記型枠と切土面２との間に、４０ｍｍ程の砕石（ＲＣ４０）を投入して第二裏込め材層３８を形成する。その後、前記型枠と第二自然石３６，３６，・・・との間に生コンを流し込んでから前記型枠を引き上げて取り出し、第二コンクリート壁３７を形成する。
【００７７】
次に、２段目の第二自然石３６，３６，・・・が積み上げられる。２段目以降は上記の１段目の第二自然石３６，３６，・・・の積み上げの工程とほぼ同じ工程を繰り返すので、詳しい説明は省略する。
【００７８】
最上段の第二自然石３６，３６，・・・と第二コンクリート壁３７と第二裏込め材層３８の上面は、天端コンクリート３９で覆うように形成し、天端コンクリート３９の上面は盛り土で覆う。
【００７９】
次に、本発明の第三の実施形態に係る土木構築物について図面を参照して説明する。
第三の実施形態の土木構築物４０は、図１１に示すように、傾斜した切土面２の下側に設けた設置面１の上に、コンクリートのベース１１を形成している。第一の実施形態と異なる点は、高さ方向で下方側土木構築物４１と上方側土木構築物４２とが連続せず、段違いの構造となっていることである。
つまり、この第三の実施形態の土木構築物４０は、前述の第二の実施形態の土木構築物３０とほぼ同様の構造で形成されているが、異なる点は上方側土木構築物４２が下方側土木構築物４１の位置より切土面３側にずれていることである。
【００８０】
下方側土木構築物４１は、その上部が、一年間を通じて河川の通常の水位よりも余裕を持った高さとなる位置まで構築されている。ただし、氾濫して増水した場合を除く。この下方側土木構築物４１は、前述の第二の実施形態の下方側土木構築物３１と同様の構造で形成されているので、詳しい説明は省略する。
【００８１】
すなわち、下方側土木構築物４１は、ベース１１の上面に、切土面２から河川側に向けて順にコンクリート壁１４と、裏込め材層１３と、積み上げた自然石１２と、を備えている。複数の各自然石１２，１２，・・・は、棒状部材１７，１７，・・・を介してコンクリート壁１４に連結固定されている。また、境界層４６は、第二実施形態の境界層３３と同様である。
したがって、積み上げた複数の自然石１２，１２，・・・および裏込め材層１３は、良好な通気性及び通水性を有するので、自然石１２，１２，・・・間の隙間や裏込め材層１３の詰め材１３ａ，１３ａ，・・・間の隙間に水中生物が生育する環境として良好である。
【００８２】
また、下方側土木構築物４１は、前述の第一の実施形態の土木構築物１０における水中生物育成用構造物２０を追加施工することもできる。水中生物育成用構造物２０については、前述の第一の実施形態と同様であるので、詳しい説明を省略する。
【００８３】
上方側土木構築物４２は、境界層４６の上面に形成されている。前述の第二の実施形態の上方側土木構築物３２と異なる点は、第二自然石４３が下方側土木構築物４１の自然石１２の位置から切土面３側にずれていることである。この実施の形態では、上方側土木構築物４２の切土面３は、下方側土木構築物４１の切土面２より３００ｍｍほど河川側に対して反対側にずれて段付きの状態に形成している。
【００８４】
すなわち、上方側土木構築物４２は、段付きの切土面３から河川側に向けて第二裏込め材層４５を備えている。さらに、境界層４６の上面に、河川側に向けて順に第二コンクリート壁４４と、積み上げた複数の第二自然石４３，４３，・・・を備えている。
【００８５】
第二裏込め材層４５は、例えば切土面３から河川側に向けて３００ｍｍ程の厚さを有しており、径４０ｍｍ程の砂利（ＲＣ４０）を敷き詰めて充填している。
【００８６】
第二コンクリート壁４４は、例えば第二裏込め材層４５から河川側に向けて２００ｍｍ程の厚さを有する。
【００８７】
複数の第二自然石４３，４３，・・・は、前記下方側土木構築物４１の自然石１２と同じように、例えば第二コンクリート壁４４から河川側に向けて３００ｍｍ程の厚さを有しており、径３５０ｍｍ程の大きさの自然石４３，４３，・・・を上方側へ積み重ねた状態で形成している。この場合は、複数の第二自然石４３，４３，・・・は第二コンクリート壁４４にてしっかり固定されるので、前述の棒状部材１７は必要としない。
【００８８】
最上段の第二自然石４３，４３，・・・と第二コンクリート壁４４と第二裏込め材層４５の上面は、例えば天端コンクリート４７で覆われており、天端コンクリート４７の上面は盛り土で覆っている。
【００８９】
以上のことから、第三の実施形態に係る土木構築物４０では、第二の実施形態の土木構築物３０と同様の効果を奏する。
すなわち、下方側土木構築物４１は、第一の実施形態と同様に、積み上げた複数の自然石１２，１２，・・・および裏込め材層１３は、良好な通気性及び通水性を有するので、自然石１２，１２，・・・間の隙間や裏込め材層１３の詰め材１３ａ，１３ａ，・・・間の隙間に水中生物が生育する環境として良好である。
一方、積み上げた複数の各自然石１２，１２，・・・は、棒状部材１７，１７，・・・を介してコンクリート壁１４に連結固定されているので、集中豪雨などにより河川が増水して氾濫し、濁流にあっても、破壊されたり流されたりしないように強度を構築することができる。
【００９０】
また、上方側土木構築物４２は、集中豪雨などにより河川が増水して氾濫した場合に水位が達するが、積み上げた複数の第二自然石４３，４３，・・・は、第二コンクリート壁４４にしっかり固定されているので、濁流に対する強度は下方側土木構築物４１よりさらに増大する。
【００９１】
また、第二の実施形態の上方側土木構築物３２と異なる点として、上方側土木構築物４２が下方側土木構築物４１の位置より切土面３側にずれていることで、複数の第二自然石４３，４３，・・・が積み上げやすくなるので施工効率が向上することと、河川幅が広くなるので特に増水した時の濁流の緩和に貢献することが考えられる。
【００９２】
次に、第三の実施形態の土木構築物４０の施工方法は、前述の第二の実施形態の土木構築物３０の施工方法とほとんど同じであるので、詳しい説明は省略する。
【産業上の利用可能性】
【００９３】
本発明は、土木建設業およびその関連事業、あるいは土木建設業に関わる他の業務などにおいて、利用可能性を有する。
【符号の説明】
【００９４】
１  設置面                            ２  切土面
３  切土面
１０  土木構築物（第一の実施形態の）  １１  ベース
１２  自然石                          １２ａ  穴部
１３  裏込め材層                      １３ａ  詰め材
１４  コンクリート壁                  １４ａ  仮想境界面
１５  小口止め                        １６  水抜きパイプ
１７  棒状部材                        １７ａ  １７ｂ  Ｕ字状棒状部材
１８Ａ  目つぶし層                    １８Ｂ  天端コンクリート
１９  巨石
２０  水中生物育成用構造物            ２１  透水性管路
２１ａ  出入口用透水性管路            ２１ｂ  上下流方向透水性管路
２１ｃ  管路継ぎ手
３０  土木構築物（第二の実施形態の）  ３１  下方側土木構築物
３２  上方側土木構築物                ３３  境界層
３４  メッシュ                        ３５  コンクリートスペーサ
３６  第二自然石                      ３７  第二コンクリート壁
３８  第二裏込め材層                  ３９  天端コンクリート
４０  土木構築物（第三の実施形態の）  ４１  下方側土木構築物
４２  上方側土木構築物                ４３  第二自然石
４４  第二コンクリート壁              ４５  第二裏込め材層
４６  境界層                          ４７  天端コンクリート
【要約】
【課題】  植物や生物の生育並びに生息に好ましい環境を提供するとともに、災害時の濁流に強い護岸を構築する土木構築物を提供する。
【解決手段】  土木構築物１０は、河川側の表面となるように積み上げた複数の自然石１２，１２，・・・と、前記自然石１２の裏側に詰め材１３ａを敷き詰めた裏込め材層１３と、前記裏込め材層１３の裏側に形成したコンクリート壁１４と、を備えた土木構築物である。  前記各自然石１２は、当該自然石１２の裏面に棒状部材１７の一端側を固定し、前記棒状部材１７の後端部を前記コンクリート壁１４内に埋設して固定することで、前記コンクリート壁１４に連結固定したことを特徴とする。
【選択図】  図１Ａ【図１Ａ】
0006037490.tif 000002
【図１Ｂ】
0006037490.tif 000003
【図１Ｃ】
0006037490.tif 000004
【図１Ｄ】
0006037490.tif 000005
【図２】
0006037490.tif 000006
【図３】
0006037490.tif 000007
【図４】
0006037490.tif 000008
【図５】
0006037490.tif 000009
【図６】
0006037490.tif 000010
【図７】
0006037490.tif 000011
【図８】
0006037490.tif 000012
【図９】
0006037490.tif 000013
【図１０】
0006037490.tif 000014
【図１１】
0006037490.tif 000015